(57)【特許請求の範囲】
【請求項１】
取引に基づいて領収書を発行出力する機能を有する装置であって、
顧客から宛名データを取得して該宛名データを付加して宛名付き領収書を発行した場合は、当該顧客における次回取引の際に前記宛名データを付加した宛名付き領収書の発行を要求するための要求情報と前記宛名データとを含む発行情報を出力する、
ことを特徴とする売上データ処理装置。
【請求項２】
取引に基づいて領収書を発行出力する機能を有する装置であって、
顧客から宛名データを取得して該宛名データを付加して宛名付き領収書を発行した場合は、当該顧客における次回取引の際に前記宛名データを付加した宛名付き領収書を発行するための発行情報を出力し、
前記発行情報は、宛名付き領収書の発行要求を示す情報である領収書ファンクションコードと、宛名として領収書に付加する前記宛名データと、を含む、
ことを特徴とする売上データ処理装置。
【請求項３】
前記顧客における次回取引の際に前記発行情報が提示された場合には、前記宛名データを付加した宛名付き領収書を発行する、
ことを特徴とする請求項１または２に記載の売上データ処理装置。
【請求項４】
前記宛名付き領収書を発行する際に取得した前記宛名データは、前記宛名付き領収書を発行した後は当該装置内に記憶を残さない、
ことを特徴とする請求項１乃至３のいずれか一項に記載の売上データ処理装置。
【請求項５】
前記発行情報の出力においては、前記発行情報をシンボルデータに変換して出力する、
ことを特徴とする請求項１乃至４のいずれか一項に記載の売上データ処理装置。
【請求項６】
記録媒体への印刷出力を行う印刷部と、
前記記録媒体に印刷されたシンボルをスキャンしてシンボルデータを取得するスキャナ部と、
を備え、
前記印刷部は、前記シンボルデータの出力を前記記録媒体に対して行い、
前記スキャナ部は、前記顧客における次回取引の際に、前記記録媒体に印刷された前記シンボルをスキャンして前記シンボルデータを読み取り、前記発行情報を取得する、
ことを特徴とする請求項５に記載の売上データ処理装置。
【請求項７】
取引に基づいて領収書を発行出力する機能を有するコンピュータを、
顧客から宛名データを取得して該宛名データを付加して宛名付き領収書を発行した場合は、当該顧客における次回取引の際に前記宛名データを付加した宛名付き領収書の発行を要求するための要求情報と前記宛名データとを含む発行情報を出力するように機能させるためのプログラム。
【発明の詳細な説明】
【技術分野】
【０００１】
本発明は、売上データ処理装置及びプログラムに関する。
【背景技術】
【０００２】
従来、スーパーマーケットや個人商店等の店舗に導入されるＥＣＲ（Electronic Cash Resister）、ＰＯＳ（Point of sale）端末等の売上データ処理装置が知られている。売上データ処理装置は、精算の度に必ず、あるいは顧客の希望に応じて、店員の操作入力により、領収書を発行する機能を有していた。この領収書に顧客名を入れて発行する複数の領収書発行方法が知られている。
【０００３】
例えば、店員が顧客名を売上データ処理装置に手入力して領収書に印刷する領収書発行方法が知られている。また、売上データ処理装置により印刷された領収書に、店員が顧客名を手書きする領収書発行方法が知られている。これらの方法では、店員の作業負担が大きかった。
【０００４】
このため、顧客名の入力（手書き）の作業負担を低減する領収書発行方法が知られている。例えば、売上データ処理装置が、顧客の会員カードから会員コードを読み取り、領収書発行時に、予め会員コードに対応する顧客情報が記憶されたメモリから、精算中の顧客の顧客情報を読み出し、この顧客情報の顧客名を含む領収書を印刷する領収書発行方法が知られている（例えば、特許文献１参照）。
【先行技術文献】
【特許文献】
【０００５】
【特許文献１】特開２００５−０３８３５０号公報
【発明の概要】
【発明が解決しようとする課題】
【０００６】
しかし、従来の売上データ処理装置では、商品登録及び締め処理とは別に、会員コードを読み出しており、店員の作業負担が大きかった。
【０００７】
本発明の課題は、宛名付き領収書の発行において、店員の作業負担を低減することである。
【課題を解決するための手段】
【０００８】
上記課題を解決するために、請求項１に記載の発明の売上データ処理装置は、取引に基づいて領収書を発行出力する機能を有する装置であって、顧客から宛名データを取得して該宛名データを付加して宛名付き領収書を発行した場合は、当該顧客における次回取引の際に前記宛名データを付加した宛名付き領収書の発行を要求するための要求情報と前記宛名データとを含む発行情報を出力するように構成される。
【発明の効果】
【００１６】
本発明によれば、宛名付き領収書を発行した場合は、当該顧客における次回取引の際に上記宛名データを付加した宛名付き領収書の発行を要求するための要求情報と前記宛名データとを含む発行情報を出力するので、店員の作業負担を低減できる。
【図面の簡単な説明】
【００１７】
【図１】本発明の実施の形態の売上データ処理システムの機能構成を示すブロック図である。
【図２】レジ処理を示すフローチャートである。
【図３】レジ処理の赤外線データ入力処理を示すフローチャートである。
【図４】ｖＣａｒｄデータを示す図である。
【図５】バーコードに格納されるバーコードデータを示す図である。
【図６】発行された領収書を示す図である。
【図７】チケットを示す図である。
【発明を実施するための形態】
【００１８】
以下、添付図面を参照して本発明に係る実施の形態を詳細に説明する。なお、本発明は、図示例に限定されるものではない。
【００１９】
図１を参照して、本実施の形態の売上データ処理システム１の装置構成を説明する。図１に、本実施の形態の売上データ処理システム１の機能構成を示す。
【００２０】
図１に示すように、売上データ処理システム１は、売上データ処理装置１０と、携帯機器２と、を備える。
【００２１】
売上データ処理装置１０は、個人商店等の店舗の会計所に設置されるＥＣＲであり、販売した商品の売上データを登録する。本実施の形態では、売上データ処理装置１０は、スタンドアローンで使用されるものとして説明するが、これに限定されるものではない。売上データ処理装置１０は、インターネット等の通信ネットワークを介して、複数の売上データ処理装置の売上データを管理する情報センタサーバに接続される構成や、店内に設置されたＰＯＳサーバに通信接続されるＰＯＳ端末として構成してもよい。
【００２２】
携帯機器２は、売上データ処理装置１０の設置店舗の顧客が所持する携帯機器であり、携帯電話機であるものとする。携帯機器２は、赤外線通信機能を有し、顧客の個人情報である電子名刺情報（ｖＣａｒｄデータ）を記憶し、赤外線通信により電子名刺情報の送信が可能な機器である。
【００２３】
ｖＣａｒｄとは、電子名詞の標準フォーマットの一つであり、個人情報を名詞のようにパッケージする方法を定めている。ｖＣａｒｄデータは、携帯機器を所持する個人の名前情報（“Ｎ”属性データ）、メールアドレスデータ等を個人情報として含む。
【００２４】
なお、携帯機器２は、携帯電話機に限定されるものではなく、ＰＤＡ（Personal Digital Assistant）、ＰＨＳ（Personal Handyphone System）端末、スマートフォン、電子ブックリーダ等、赤外線通信機能を有する他の携帯機器としてもよい。
【００２５】
図１に示すように、売上データ処理装置１０は、ＣＰＵ（Central Processing Unit）１１と、操作部１２と、ＲＡＭ（Random Access Memory）１３と、表示部１４と、ＲＯＭ（Read Only Memory）１５と、赤外線通信部１６と、フラッシュメモリ１７と、ドロア１８と、印刷部１９と、スキャナ部２０と、計時部２１と、を備える。ＣＰＵ１１、操作部１２、ＲＡＭ１３、表示部１４、ＲＯＭ１５、赤外線通信部１６、フラッシュメモリ１７、ドロア１８、印刷部１９、スキャナ部２０、計時部２１、は、バス２２を介して接続されている。
【００２６】
ＣＰＵ１１は、売上データ処理装置１０の各部を中央制御する。ＣＰＵ１１は、各種プログラムのうち指定されたプログラムをＲＯＭ１５から読み出してＲＡＭ１３に展開し、展開されたプログラムとの協働で各種処理を実行する。
【００２７】
ＣＰＵ１１は、レジプログラム１５１に従い、操作部１２で商品登録及び締めの操作入力を受け付け、赤外線通信部１６で商品登録の操作入力から締めの操作入力までの間に、携帯機器２から顧客の宛名データを含む赤外線データを受信し、この赤外線データを解析して宛名データを抽出する。そして、ＣＰＵ１１は、締めの操作入力がなされた場合に、抽出された宛名データ及び締めにおける領収金額の金額データを含む領収書のイメージデータを作成して領収書を印刷部１９に印刷させる。
【００２８】
操作部１２は、売上データ登録（商品登録及び締め）に関する各種キー群を有し、各キーに入力された操作情報をＣＰＵ１１に出力する。操作部１２は、例えば、数字キー、ＰＬＵ（Price Look Up）キー、部門入力キー、仮締キー、小計キー、現金（締め）キーを有する。
【００２９】
ＲＡＭ１３は、揮発性の半導体メモリであり、各種データ及び各種プログラムを格納するワークエリアを有する。表示部１４は、ＬＣＤ（Liquid Crystal Display）等で構成され、ＣＰＵ１１から入力される表示情報に応じて各種表示を行う。
【００３０】
ＲＯＭ１５は、各種データ及び各種プログラムを記憶する読み出し専用のメモリである。ＲＯＭ１５には、レジプログラム１５１が記憶されている。
【００３１】
赤外線通信部１６は、顧客の携帯機器２と赤外線通信を行う。赤外線通信部１６は、ＣＰＵ１１の指示に従い、赤外線通信を行い、特に、赤外線受信ポートをオープン（開放）して赤外線データ受信を行う。
【００３２】
フラッシュメモリ１７は、各種データ及び各種プログラムを読み出し及び書き込み可能に記憶する不揮発性の半導体メモリである。
【００３３】
ドロア１８は、現金、商品券等を格納する引き出しであり、ＣＰＵ１１の指示により開放される。印刷部１９は、ロール紙がセットされたサーマルプリンタ等で構成される。印刷部１９は、ＣＰＵ１１の指示により、レシート、ジャーナル、領収書等を印刷する。
【００３４】
スキャナ部２０は、レーザスキャナや、２次元のイメージスキャナ等で構成され、シンボルとしての１次元バーコード（以下、バーコードという）の読み取りを行い、読み取ったバーコードに含まれる情報をＣＰＵ１１に出力する。スキャナ部２０は、顧客の宛名データを含むバーコードを読み取るためのものとし、さらに、商品に付されたバーコードを読み取って商品登録を行う構成としてもよい。
【００３５】
計時部２１は、現在日時を計時する計時回路を有し、現在の日時情報をＣＰＵ１１に出力する。
【００３６】
次に、図２〜図７を参照して、売上データ処理装置１０の動作を説明する。図２に、レジ処理を示す。図３に、レジ処理の赤外線データ入力処理を示す。図４に、ｖＣａｒｄデータ３０を示す。図５に、バーコードに格納されるバーコードデータ４０を示す。図６に、発行された領収書５０を示す。図７に、チケット６０を示す。
【００３７】
図２及び図３に示すように、売上データ処理装置１０で実行されるレジ処理を説明する。レジ処理は、売上データ処理装置１０で、商品登録処理、締め処理を行うとともに、会計した顧客の商品の領収書を発行する処理である。
【００３８】
売上データ処理装置１０において、例えば、電源オン入力されたことをトリガとして、ＣＰＵ１１は、ＲＯＭ１５から読み出されて適宜ＲＡＭ１３に展開されたレジプログラム１５１との協働で、レジ処理を実行する。
【００３９】
レジ処理の実行中に、顧客は、適宜、店舗内で購入する商品を選び会計所に運ぶ。
この顧客は、携帯機器２を所持していない顧客でもよく、携帯機器２を所持している顧客であれば、領収書の発行が可能となる。会計所では、売上データ処理装置１０を操作する店員が待機している。
【００４０】
先ず、ＣＰＵ１１は、操作部１２を介して、店員からの何らかのキー入力があるか否かを判別する（ステップＳ１）。キー入力がない場合（ステップＳ１；ＮＯ）、ＣＰＵ１１は、ステップＳ２の赤外線データ入力処理を実行する（ステップＳ２）。
【００４１】
ここで、図３を参照して、ステップＳ２の赤外線データ入力処理を詳細に説明する。先ず、ＣＰＵ１１は、赤外線通信部１６の赤外線受信ポートをオープンする（ステップＳ２１）。赤外線受信ポートをオープンすると、赤外線通信部１６は、顧客の携帯機器２から赤外線データのｖＣａｒｄデータのパケットデータを受信可能となる。顧客は、適宜、携帯機器２をｖＣａｒｄデータの赤外線送信設定にし、携帯機器２の赤外線通信部を赤外線通信部１６に向ける。
【００４２】
そして、ＣＰＵ１１は、赤外線通信部１６を介して顧客の携帯機器２から赤外線データのパケットデータを受信したか否かを判別する（ステップＳ２２）。
【００４３】
パケットデータを受信した場合（ステップＳ２２；ＹＥＳ）、ＣＰＵ１１は、ステップＳ２２で受信したパケットデータを解析する（ステップＳ２３）。そして、ＣＰＵ１１は、ステップＳ２３で解析したパケットデータがＶＣａｒｄデータであるか否かを判別する（ステップＳ２４）。
【００４４】
ｖＣａｒｄデータである場合（ステップＳ２４；ＹＥＳ）、ＣＰＵ１１は、このｖＣａｒｄデータの内容を解析する（ステップＳ２５）。そして、ＣＰＵ１１は、ステップＳ２５で解析したｖＣａｒｄデータから顧客の名前を示す“Ｎ”属性データを抽出する（ステップＳ２６）。ステップＳ２５では、例えば、図４に示すｖＣａｒｄデータ３０が解析され、ステップＳ２６で、“Ｎ”属性データ３１の“△田  太郎”が抽出される。
【００４５】
ｖＣａｒｄデータは、赤外線通信用のデータに変換されている。このため、ＣＰＵ１１は、ステップＳ２６で取得した “Ｎ”属性データをキャラクタデータ（シフトＪＩＳデータ等）にデコードする（ステップＳ２７）。そして、ＣＰＵ１１は、ステップＳ２７で取得したデコードしたキャラクタデータを顧客の宛名データとしてＲＡＭ１３に格納する（ステップＳ２８）。そして、ＣＰＵ１１は、領収書発行を依頼するための領収書発行依頼フラグをオンする（ステップＳ２９）。つまり、オンされたフラグがＲＡＭ１３に記憶される。
【００４６】
そして、ＣＰＵ１１は、ステップＳ２１でオープンした赤外線通信部１６の赤外線受信ポートをクローズし（ステップＳ３０）、赤外線データ入力処理を終了する。パケットデータを受信していない場合（ステップＳ２２；ＮＯ）、又はｖＣａｒｄデータでない場合（ステップＳ２４；ＮＯ）、ステップＳ３０に移行される。
【００４７】
そして、赤外線データ入力処理の終了後、図２に戻り、ＣＰＵ１１は、スキャナ部２０により、顧客が所持するチケットのバーコードをスキャンし、そのバーコードに格納されるバーコードデータを取得してＲＡＭ１３に格納する（ステップＳ２１）。後述するステップＳ１８で、領収書発行の後、その領収書に記載された宛名データを含むバーコードを含むチケットが印刷される。顧客は、次回の来店時に、そのチケットを持参すれば、ステップＳ３で持参したバーコードがスキャンされ、その顧客の宛名データを入力することができる。
【００４８】
ここで、図５を参照して、領収書を発行するためのバーコードデータ４０を説明する。バーコードデータ４０は、頭コード４１と、領収書ファンクションコード４２と、宛名データ４３と、を含む。頭コード４１は、バーコードデータ４０の先頭コードであり、例えば、バーコードの種類を領収書発行用のバーコードとするためのコードである。領収書ファンクションコード４２は、領収書の発行要求を示す情報である。宛名データ４３は、顧客の名前を示す宛名データである。
【００４９】
そして、ＣＰＵ１１は、ステップＳ３で取得したバーコードデータに領収書ファンクションコードがあるか否かを判別する（ステップＳ４）。つまり、バーコードデータ４０に領収書ファンクションコード４２が含まれるか否かが判別される。
【００５０】
領収書ファンクションコードがある場合（ステップＳ４；ＹＥＳ）、ＣＰＵ１１は、ステップＳ３で取得したバーコードデータから宛名データが取り出される（ステップＳ５）。つまり、バーコードデータ４０から宛名データ４３が取り出される。そして、ＣＰＵ１１は、領収書発行依頼フラグをオンする（ステップＳ６）。
【００５１】
そして、ＣＰＵ１１は、その他検出処理を実行し（ステップＳ７）、ステップＳ１に移行される。その他検出処理とは、売上データ処理装置１０の各種モード入力用の鍵の位置の検出、印刷部１９の紙の有無の検出、外部機器との通信の有無（外部機器と通信接続されている場合）の検出等である。領収書ファンクションコードがない場合（ステップＳ４；ＮＯ）、ステップＳ７に移行される。
【００５２】
キー入力がある場合（ステップＳ１；ＹＥＳ）、ＣＰＵ１１は、ステップＳ１で入力されたキーを解析する（ステップＳ８）。そして、ＣＰＵ１１は、ステップＳ８での解析結果に基づいて、入力されたキーの種類を判別する（ステップＳ９）。
【００５３】
入力されたキーが販売する商品の商品登録用である場合（数字キー、ＰＬＵキー等の入力の場合）（ステップＳ９；商品登録）、ＣＰＵ１１は、入力キーに対応する商品登録処理を行い（ステップＳ１０）、ステップＳ１に移行される。より具体的には、ＣＰＵ１１は、操作部１２を介して店員による商品の種類、個数の操作入力を受け付けてＲＡＭ１３に格納していくとともに、それらの情報を表示部１４に表示する。商品登録は、スキャナ部２０によるバーコードスキャンにより行ってもよい。
【００５４】
入力されたキーが顧客の商品登録の締め用である場合（小計キー等の入力の場合）（ステップＳ９；締め）、ＣＰＵ１１は、商品登録の締め処理を行う（ステップＳ１１）。より具体的には、ＣＰＵ１１は、操作部１２を介して店員による小計キーの押下入力を受け付け、商品の合計金額を算出して表示部１４に表示する。店員は、顧客から商品の代金（お金、商品券等）を受け取る。
【００５５】
ＣＰＵ１１は、操作部１２を介して店員による代金入力及び現金預かりキーの押下入力を受け付け、その合計額及び代金からお釣りを算出して表示部１４に表示し、ドロア１８を開放し、販売した商品の個数、金額、合計額等の売上データを印刷部１９にジャーナル、レシートとして印刷するとともに、フラッシュメモリ１７に合計器として記憶する。店員は、顧客から受け取った代金をドロア１８に収納し、お釣りを取り出して、レシートとともに顧客に手渡してドロア１８を閉める。
【００５６】
ステップＳ１１では、さらに、ＣＰＵ１１は、算出した販売商品の合計金額（領収金額）の金額データをＲＡＭ１３に格納する。
【００５７】
入力されたキーが顧客のその他のキー処理用である場合（ステップＳ９；その他）、ＣＰＵ１１は、その他のキー処理を行い（ステップＳ１２）、ステップＳ１に移行される。その他のキー処理とは、レシートの余白をフィードする処理等である。
【００５８】
そして、ＣＰＵ１１は、ステップＳ２９，Ｓ６により領収書発行依頼フラグがオンされているか否かを判別する（ステップＳ１３）。領収書発行依頼フラグがオンされていない場合（ステップＳ１３；ＮＯ）、ステップＳ１に移行される。
【００５９】
領収書発行依頼フラグがオンされた場合（ステップＳ１３；ＹＥＳ）、ＣＰＵ１１は、ステップＳ２９，Ｓ６で格納された宛名データと、ステップＳ１１で算出した領収金額の金額データと、をＲＡＭ１３から読み出す（ステップＳ１４）。そして、ＣＰＵ１１は、ステップＳ１４で読み出した宛名データを発行先とし、読み出した金額のデータを領収した領収書の印刷データ（イメージデータ）を作成する（ステップＳ１５）。
【００６０】
そして、ＣＰＵ１１は、ステップＳ１５で作成された領収書の印刷データを用いて、印刷部１９に領収書を印刷させる（ステップＳ１６）。ステップＳ１６で印刷される領収書は、例えば、図６に示す領収書５０となる。領収書５０は、金額５１と、宛名５２と、日時５３と、発行元５４と、を含む。
【００６１】
金額５１は、領収書５０の領収金額であり、ステップＳ１１でＲＡＭ１３に格納された領収金額のデータに基づく。宛名５２は、領収書５０の発行先の宛名であり、ステップＳ１４で読み出された宛名データに基づく。日時５３は、領収書５０の発行日付であり、計時部２１から取得される現在の日時情報の日時に基づく。発行元５４は、売上データ処理装置１０の設置店舗の名称であり、フラッシュメモリ１７に予め記憶されている店舗の名称データに基づく。
【００６２】
そして、ＣＰＵ１１は、ステップＳ２８又はＳ５でＲＡＭ１３に格納された宛名データを含むバーコードデータを作成し、当該バーコードデータを格納するバーコードのイメージデータを作成し、注意書きと、このバーコードと、を含むチケットの印刷データ（イメージデータ）を作成する（ステップＳ１７）。そして、ＣＰＵ１１は、ステップＳ１７で作成した印刷データを用いて、印刷部１９にチケットを印刷させる（ステップＳ１８）。バーコードデータは、例えば、図５に示すバーコードデータ４０である。印刷したチケットは、例えば、図７に示すチケット６０である。
【００６３】
チケット６０は、注意書き６１と、バーコード６２と、を含む。注意書き６１は、顧客の個人情報を売上データ処理装置１０内に残しておかない旨や、次回の領収書発行時に、携帯機器に替えてチケット６０を店員に提示して領収書の宛名入力が可能となる旨等の注意書きである。バーコード６２は、顧客の宛名データを含むバーコードデータを格納するバーコードである。
【００６４】
そして、ＣＰＵ１１は、ＲＡＭ１３に格納している宛名データ、バーコードデータ、イメージデータ及び領収書発行依頼フラグを消去し（ステップＳ１９）、ステップＳ１に移行される。
【００６５】
以上、本実施の形態によれば、売上データ処理装置１０は、操作部１２により商品登録及び締めの操作入力を受け付け、赤外線通信部１６により、前記商品登録の操作入力から締めの操作入力までの間に、赤外線受信ポートをオープンして携帯機器２から顧客の宛名データを含む赤外線データを受信し、当該受信された赤外線データを解析して宛名データを抽出する。そして、売上データ処理装置１０は、前記締めの操作入力がなされた場合に、前記抽出された宛名データ及び前記締めにおける領収金額の金額データを含む領収書のイメージデータを作成し、当該作成した領収書のイメージデータを用いて領収書を印刷部１９に印刷させる。
【００６６】
このため、顧客の宛名を含む領収書の発行において、商品登録の操作入力から締めの操作入力までの間に、顧客の宛名データを含む赤外線データを受信するので、店員の作業負担を低減できるとともに、予め顧客の個人情報を売上データ処理装置１０に記憶しないので、顧客の個人情報の漏洩を防ぐことができる。
【００６７】
また、売上データ処理装置１０は、取得した宛名データを一時的にＲＡＭ１３に格納するが、領収書の印刷後に、ＲＡＭ１３に記憶された宛名データを消去する。このため、顧客の個人情報の漏洩をより確実に防ぐことができる。
【００６８】
また、売上データ処理装置１０は、赤外線通信部１６により、携帯機器２から赤外線データのパケットデータを受信する。このため、赤外線データを効率よく受信できる。
【００６９】
また、売上データ処理装置１０は、赤外線通信部１６で受信した赤外線データから宛名データを抽出した場合に、領収書発行依頼フラグをオンし、締めの操作入力がなされた場合に、領収書発行依頼フラグがオンされているか否かを判別し、オンである場合に、領収書のイメージデータを作成して領収書を印刷部１９に印刷させる。このため、宛名データの取得の有無を容易に判別できる。
【００７０】
また、売上データ処理装置１０は、宛名データを含むバーコードのイメージデータを作成し、当該作成したバーコードのイメージデータを用いてバーコードを含むチケットを印刷部１９に印刷させる。このため、顧客が次回の来店時に宛名データを入力することができるバーコードを含むチケットを発行できる。
【００７１】
また、売上データ処理装置１０は、スキャナ部２０により顧客が所持するチケットのバーコードをスキャンしてバーコードデータを取得し、取得されたバーコードデータをデコードして宛名データを取得し、締めの操作入力がなされた場合に、当該取得した宛名データを含む領収書のイメージデータを作成して領収書を印刷部１９に印刷させる。このため、顧客が所持するチケットのバーコードから宛名データを容易に取得できる。
【００７２】
なお、上記実施の形態における記述は、本発明に係る売上データ処理装置及びプログラムの一例であり、これに限定されるものではない。
【００７３】
上記実施の形態では、売上データ処理装置１０が、現金、商品券による決済を行うものとしたが、これに限定されるものではない。売上データ処理装置１０の決済方式は、クレジットカード、電子マネー等による決済を含めてもよい。
【００７４】
また、上記実施の形態では、売上データ処理装置１０が、次回来店時の領収書発行用の宛名データを１次元のバーコードに格納して印刷する構成としたが、これに限定されるものではない。例えば、２次元コード等、他のシンボルに格納して印刷する構成としてもよい。また、次回来店時の領収書発行用の宛名データを、磁気カード、リライト可能なロイコカード、非接触ＩＣカード等、他の記録媒体に記録する構成としてもよい。
【００７５】
また、上記実施の形態における売上データ処理システムの各構成要素の細部構成及び細部動作に関しては、本発明の趣旨を逸脱することのない範囲で適宜変更可能であることは勿論である。
【符号の説明】
【００７６】
１  売上データ処理システム
１０  売上データ処理装置
１１  ＣＰＵ
１２  操作部
１３  ＲＡＭ
１４  表示部
１５  ＲＯＭ
１６  赤外線通信部
１７  フラッシュメモリ
１８  ドロア
１９  印刷部
２０  スキャナ部
２１  計時部
２２  バス
２  携帯機器
【図１】
0005760343.tif 000002
【図２】
0005760343.tif 000003
【図３】
0005760343.tif 000004
【図４】
0005760343.tif 000005
【図５】
0005760343.tif 000006
【図６】
0005760343.tif 000007
【図７】
0005760343.tif 000008